【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
外部装置から複数のプロトコルのいずれかに従った印刷要求を受け付け、該印刷要求に基づく印刷データの印刷を印刷装置に順に実行させる印刷制御装置であって、
複数のプロトコルに従った印刷要求の要求順番を示す要求順番リストであって、複数のプロトコルに共通の要求順番リストを管理する要求順番リストを管理手段と、
前記印刷装置による印刷中に外部装置から第１のプロトコルに従った印刷要求を受け付けた場合、前記管理手段で管理している要求順番リストに当該印刷要求及び当該印刷要求の受付時刻を登録するとともに、印刷データの受信は停止させる第１の制御手段と、
前記印刷装置による印刷中に外部装置から前記第１のプロトコルとは異なる第２のプロトコルに従った印刷要求を受け付けた場合、前記管理手段で管理している要求順番リストに当該印刷要求及び当該印刷要求の受付時刻を登録するとともに、印刷データの受信は停止させ、前記印刷要求の受付時刻を含む応答情報を当該外部装置に返信する第２の制御手段と、
前記管理手段で管理されている要求順番リストに含まれる印刷要求の受付時刻に従って順次停止されている印刷データの受信の停止を解除することにより印刷要求の受付順に前記印刷装置による印刷を実行させるよう制御する印刷制御手段と、
を有することを特徴とする印刷制御装置。
【請求項２】
前記第１の制御手段は、前記印刷装置による印刷中に外部装置から第１のプロトコルに従った印刷要求を受け付けた場合、印刷開始要求コマンドに対して正常応答するとともに、データ受信開始要求に対しては印刷データの受信を停止することを特徴とする請求項１に記載の印刷制御装置。
【請求項３】
前記第２の制御手段は、前記印刷装置による印刷中に外部装置から第１のプロトコルに従った印刷要求を受け付けた場合、印刷開始要求コマンドに対して、前記応答情報として前記印刷要求の受付時刻と当該印刷要求の再送回数とを含むビジー応答を外部装置に送信することを特徴とする請求項１または２に記載の印刷制御装置。
【請求項４】
前記第１のプロトコルは、ＷＳＤ（Ｗｅｂ  Ｓｅｒｖｉｃｅ  ｆｏｒ  Ｄｅｖｉｃｅ）を含むことを特徴とする請求項１から３のいずれか１項に記載の印刷制御装置。
【請求項５】
クライアント機器から複数のプロトコルのいずれかに従って送られてくる印刷要求を印刷装置において受け付け、該印刷要求に基づく印刷データの印刷を前記印刷装置において順に実行させる印刷制御方法であって、
複数のプロトコルに従った印刷要求の要求順番を示す要求順番リストであって、複数のプロトコルに共通の要求順番リストを管理し、
前記印刷装置が印刷中にクライアント機器から第１のプロトコルに従った印刷要求を受け付けた場合、前記要求順番リストに当該印刷要求及び当該印刷要求の受付時刻を登録するとともに、印刷データの受信は停止させ、
前記印刷装置が印刷中にクライアント機器から前記第１のプロトコルとは異なる第２のプロトコルに従った印刷要求を受け付けた場合、前記要求順番リストに当該印刷要求及び当該印刷要求の受付時刻を登録するとともに、印刷データの受信は停止させ、前記印刷要求の受付時刻を含む応答情報を当該クライアント機器に返信し、
前記要求順番リストに含まれる印刷要求の受付時刻に従って順次停止されている印刷データの受信の停止を解除することにより印刷要求の受付順に前記印刷装置による印刷を実行させるよう制御することを特徴とする印刷制御方法。
【請求項６】
前記印刷装置が印刷中にクライアント機器から第１のプロトコルに従った印刷要求を受け付けた場合、前記印刷装置は印刷開始要求コマンドに対して正常応答するとともに、データ受信開始要求に対しては印刷データの受信を停止することを特徴とする請求項５に記載の印刷制御方法。
【請求項７】
前記印刷装置が印刷中にクライアント機器から第１のプロトコルに従った印刷要求を受け付けた場合、前記印刷装置は印刷開始要求コマンドに対して、前記応答情報として前記印刷要求の受付時刻と当該印刷要求の再送回数とを含むビジー応答をクライアント機器に送信することを特徴とする請求項５または６に記載の印刷制御方法。
【請求項８】
前記クライアント機器は、前記印刷装置から前記応答情報を受信した場合、当該応答情報に含まれる受付時刻をセットして印刷要求を再送することを特徴とする請求項５から７のいずれか１項に記載の印刷制御方法。
【請求項９】
前記第１のプロトコルは、ＷＳＤ（Ｗｅｂ  Ｓｅｒｖｉｃｅ  ｆｏｒ  Ｄｅｖｉｃｅ）を含むことを特徴とする請求項５から８のいずれか１項に記載の印刷制御方法。
【請求項１０】
請求項１に記載の各手段をコンピュータにより実行することを特徴とするプログラム。
【手続補正２】
【補正対象書類名】明細書
【補正対象項目名】発明の名称
【補正方法】変更
【補正の内容】
【発明の名称】印刷制御装置、印刷制御方法及びプログラム
【手続補正３】
【補正対象書類名】明細書
【補正対象項目名】００２４
【補正方法】変更
【補正の内容】
【００２４】
本発明の印刷制御装置は、外部装置から複数のプロトコルのいずれかに従った印刷要求を受け付け、該印刷要求に基づく印刷データの印刷を印刷装置に順に実行させる印刷制御装置であって、複数のプロトコルに従った印刷要求の要求順番を示す要求順番リストであって、複数のプロトコルに共通の要求順番リストを管理する要求順番リストを管理手段と、前記印刷装置による印刷中に外部装置から第１のプロトコルに従った印刷要求を受け付けた場合、前記管理手段で管理している要求順番リストに当該印刷要求及び当該印刷要求の受付時刻を登録するとともに、印刷データの受信は停止させる第１の制御手段と、前記印刷装置による印刷中に外部装置から前記第１のプロトコルとは異なる第２のプロトコルに従った印刷要求を受け付けた場合、前記管理手段で管理している要求順番リストに当該印刷要求及び当該印刷要求の受付時刻を登録するとともに、印刷データの受信は停止させ、前記印刷要求の受付時刻を含む応答情報を当該外部装置に返信する第２の制御手段と、前記管理手段で管理されている要求順番リストに含まれる印刷要求の受付時刻に従って順次停止されている印刷データの受信の停止を解除することにより印刷要求の受付順に前記印刷装置による印刷を実行させるよう制御する印刷制御手段とを有することを特徴とする。
【手続補正４】
【補正対象書類名】明細書
【補正対象項目名】００２５
【補正方法】変更
【補正の内容】
【００２５】
本発明の印刷制御方法は、クライアント機器から複数のプロトコルのいずれかに従って送られてくる印刷要求を印刷装置において受け付け、該印刷要求に基づく印刷データの印刷を前記印刷装置において順に実行させる印刷制御方法であって、複数のプロトコルに従った印刷要求の要求順番を示す要求順番リストであって、複数のプロトコルに共通の要求順番リストを管理し、前記印刷装置が印刷中にクライアント機器から第１のプロトコルに従った印刷要求を受け付けた場合、前記要求順番リストに当該印刷要求及び当該印刷要求の受付時刻を登録するとともに、印刷データの受信は停止させ、前記印刷装置が印刷中にクライアント機器から前記第１のプロトコルとは異なる第２のプロトコルに従った印刷要求を受け付けた場合、前記要求順番リストに当該印刷要求及び当該印刷要求の受付時刻を登録するとともに、印刷データの受信は停止させ、前記印刷要求の受付時刻を含む応答情報を当該クライアント機器に返信し、前記要求順番リストに含まれる印刷要求の受付時刻に従って順次停止されている印刷データの受信の停止を解除することにより印刷要求の受付順に前記印刷装置による印刷を実行させるよう制御することを特徴とする。
【手続補正５】
【補正対象書類名】明細書
【補正対象項目名】００２６
【補正方法】削除
【補正の内容】